(57)【要約】【課題】迷惑を被っている人の通報を受け、直ちに、迷惑をかけているペットの現在位置と保有者とを特定し、ペット保有者に対して、ペットの現在位置を知らせた上でペットの引き取りを依頼できるペット会員サービスシステムを提供する。【解決手段】センタ装置６は、会員からの会員現在地を教示した通報Ｂを受け、その会員Ｂに迷惑をかけているペットＡの携帯する無線送信器２の識別情報より、その無線送信器２のペット所有者ＡとペットＡの現在地を特定し、そのペット所有者Ａに所定の通報Ａをする構成とした。【選択図】図１
2004355472.tif 000002
【特許請求の範囲】
【請求項１】
ペットに携帯され、固有の識別情報を予め登録した記憶部と、この記憶部に予め登録した識別情報を第１の無線信号として送信する送信部と、上記屋外柱から送信され、その屋外柱の設置位置情報を含む第２の無線信号を受信する受信部と、この受信部によって受信され、上記屋外柱の設置位置情報を順次蓄積する移動履歴データベースとを備える無線送信器と、
屋外の適所に設置され、上記無線送信器から送信される第１の無線信号を受信する受信部と、この屋外柱の設置位置情報を第２の無線信号として上記無線送信器に送信する送信部と、上記受信部により受信した上記第１の無線信号より、その無線送信器の識別情報を抽出して、抽出した識別情報を、上記屋外柱の設置位置情報とともに、通信線を通じて上記センタ装置に送信する制御部とを備える屋外柱と、
上記通信線に接続され、上記屋外柱から受信した、上記無線送信器の識別情報とその屋外柱の設置位置情報とにより、上記無線送信器の移動軌跡を管理するセンタ装置とで構成されるペット会員サービスシステムであって、
上記センタ装置は、会員からの会員現在地を教示した通報を受け、その会員に迷惑をかけているペットの携帯する無線送信器の識別情報より、その無線送信器のペット所有者とペットの現在地を特定し、そのペット所有者に所定の通報をする構成としたペット会員サービスシステム。
【請求項２】
ペットに携帯され、固有の識別情報を予め登録した記憶部と、この記憶部に予め登録した識別情報を第１の無線信号として送信する送信部と、上記屋外柱から送信され、その屋外柱の設置位置情報を含む第２の無線信号を受信する受信部と、この受信部によって受信され、上記屋外柱の設置位置情報を順次蓄積する移動履歴データベースとを備える無線送信器と、
屋外の適所に設置され、上記無線送信器から送信される第１の無線信号を受信する受信部と、この屋外柱の設置位置情報を第２の無線信号として上記無線送信器に送信する送信部と、上記受信部により受信した上記第１の無線信号より、その無線送信器の識別情報を抽出して、抽出した識別情報を、上記屋外柱の設置位置情報とともに、通信線を通じて上記センタ装置に送信する制御部とを備える屋外柱と、
上記通信線に接続され、上記屋外柱から受信した、上記無線送信器の識別情報とその屋外柱の設置位置情報とにより、上記無線送信器の移動軌跡を管理するセンタ装置とで構成されるペット会員サービスシステムであって、
サービス加入者には会員無線器を所持させ、この会員無線器は、この無線器固有の識別情報を予め登録した記憶部と、加入者の操作により、この無線器固有の識別情報を所定の迷惑フラグとともに迷惑信号として送信する送信部と、上記無線送信器からの第１の無線信号を受信する受信部とを備えており、
上記会員無線器から上記迷惑信号が送信されると、付近のペットが携帯する無線送信器はこれを受信し、予め定められた所定の受信強度より高い場合にはこの受信を有効として、受信した迷惑信号に含まれる上記会員無線器の識別情報が、自身の識別情報と一致しない場合には、上記第１の無線信号に、自身の識別情報と迷惑フラグとを付加させ、
このとき上記屋外柱は、上記第１の無線信号から、上記無線無線器の識別情報と迷惑フラグとを抽出して上記センタ装置に転送し、
上記センタ装置は、上記無線送信器の識別情報から、その無線送信器のペット所有者を特定し、そのペット所有者に所定の通報をする構成としたペット会員サービスシステム。
【請求項３】
ペットに携帯され、固有の識別情報を予め登録した記憶部と、この記憶部に予め登録した識別情報を第１の無線信号として送信する送信部と、上記屋外柱から送信され、その屋外柱の設置位置情報を含む第２の無線信号を受信する受信部と、この受信部によって受信され、上記屋外柱の設置位置情報を順次蓄積する移動履歴データベースとを備える無線送信器と、
屋外の適所に設置され、上記無線送信器から送信される第１の無線信号を受信する受信部と、この屋外柱の設置位置情報を第２の無線信号として上記無線送信器に送信する送信部と、上記受信部により受信した上記第１の無線信号より、その無線送信器の識別情報を抽出して、抽出した識別情報を、上記屋外柱の設置位置情報とともに、通信線を通じて上記センタ装置に送信する制御部とを備える屋外柱と、
上記通信線に接続され、上記屋外柱から受信した、上記無線送信器の識別情報とその屋外柱の設置位置情報とにより、上記無線送信器の移動軌跡を管理するセンタ装置とで構成されるペット会員サービスシステムであって、
サービス加入者には会員無線器を所持させ、この会員無線器は、この無線器固有の識別情報を予め登録した記憶部と、上記無線送信器からの第１の無線信号を受信する受信部と、上記無線送信器から受信した所定強度以上の第１の無線信号からこの無線送信器の識別情報を抽出し、自身の識別情報と一致しない場合には、所定の報知をなすペット会員サービスシステム。
【請求項４】
ペットに携帯され、固有の識別情報を予め登録した記憶部と、この記憶部に予め登録した識別情報を第１の無線信号として送信する送信部と、上記屋外柱から送信され、その屋外柱の設置位置情報を含む第２の無線信号を受信する受信部と、この受信部によって受信され、上記屋外柱の設置位置情報を順次蓄積する移動履歴データベースとを備える無線送信器と、
屋外の適所に設置され、上記無線送信器から送信される第１の無線信号を受信する受信部と、この屋外柱の設置位置情報を第２の無線信号として上記無線送信器に送信する送信部と、上記受信部により受信した上記第１の無線信号より、その無線送信器の識別情報を抽出して、抽出した識別情報を、上記屋外柱の設置位置情報とともに、通信線を通じて上記センタ装置に送信する制御部とを備える屋外柱と、
上記通信線に接続され、上記屋外柱から受信した、上記無線送信器の識別情報とその屋外柱の設置位置情報とにより、上記無線送信器の移動軌跡を管理するセンタ装置とで構成されるペット会員サービスシステムであって、
サービス加入者には会員無線器を所持させ、この会員無線器は、この無線器固有の識別情報を予め登録した記憶部と、上記無線送信器からの第１の無線信号を受信する受信部と、上記無線送信器から受信した所定強度以上の第１の無線信号からこの無線送信器の識別情報を抽出し、抽出した識別情報を所定の迷惑フラグを付加して、第３の無線信号として上記無線送信器に送信する制御部とを備えており、
この送信された第３の無線信号を受信した上記無線送信器は、その信号が予め定められた受信強度より高い場合には、受信した識別情報と自身の識別情報とを照合し、一致しなければ、上記第１の無線信号に、自身の識別情報と迷惑フラグとを付加させ、
このとき上記屋外柱は、上記第１の無線信号から、上記無線無線器の識別情報と迷惑フラグとを抽出して上記センタ装置に転送し、
上記センタ装置は、上記無線送信器の識別情報から、その無線送信器のペット所有者を特定し、そのペット所有者に所定の通報をする構成としたペット会員サービスシステム。
【請求項５】
請求項１〜４において、
上記センタ装置は、上記会員無線器以外のペット所有者の通信端末装置に、通信ネットワークを通じて接続されており、上記無線送信器の識別情報に応じて、ペット所有者の連絡先情報を登録した通報先テーブルを備えており、この通報先テーブルを参照してペット所有者を割り出し、通信ネットワークを通じて上記通信端末装置に対して所定の通報を行う構成としたペット会員サービスシステム。
【請求項６】
請求項４または５において、
上記センタ装置は、特定したペット所有者に対して、そのペットの所在を通知するための地図データを備えており、上記制御部は、そのペットの現在位置情報を含む地図データと、迷惑通知とを含む上記通報をなす構成としたペット会員サービスシステム。
【請求項７】
請求項４〜６において、
上記会員無線器以外のペット所有者の通信端末装置は、携帯電話機であることを特徴としたペット会員サービスシステム。
【請求項８】
請求項１〜７のいずれかにおいて、
上記会員無線器は、抽出した上記無線送信器の識別情報を表示する表示部を備える構成としたペット会員サービスシステム。
【発明の詳細な説明】
【０００１】
【発明の属する技術分野】
本発明は、サービス加入者に対して、ペットの現在位置を通知するとともに、糞害などをもたらすペットの引き取りをスムーズにその保有者に依頼し、人間とペットの有効な共存を図ることのできるペット会員サービスシステムに関する。
【０００２】
【従来の技術】
近時、犬や猫などといったペットを飼育するものが増えてきており、これに伴って、移動先での糞害、騒音、器物損壊などといった諸問題が発生している。
【０００３】
そこで、下記特許文献においては、ペットに来てほしくない場所に害獣撃退器を設置しておき、その害獣撃退器に近寄ってきたペットを、超音波、光、音、臭いなどを発生させて撃退するようにしている。
【０００４】
しかし、これでは、自身が保有するペットをも撃退の対象としてしまうし、ペット脱走の際にその位置の特定もできない。
【０００５】
そこで、特願２００２−３４７５２５において、本発明者らは、ペットに無線送信器を携帯させ、その送信器から出される送信器識別情報が撃退器に登録されていれば、撃退動作を中止することで自身のペット保護を図るとともに、屋外設置される電柱などの既存の屋外柱に、ペット位置情報通知機能を設けて、その屋外柱に近づいたペットの識別情報をセンタ装置に通知し、そこで全ペットの統括管理を行えるようにし、脱走したペットの現在位置を特定できるようにしたシステムを提案するに至った。
【０００６】
【特許文献１】
特開２００１−２７０５４号公報
【０００７】
【発明が解決しようとする課題】
ところで、上記特願２００２−３４７５２５においても、脱走したペット保有者からの依頼に基づき、センタ装置側でそのペットの現在位置を特定することは可能であるが、糞害や器物損壊やいたずらをもたらしているペットがいる場合、その敷地や損壊された物の保有者がそのペットを撃退したい場合、それだけのためには害獣撃退器を設置すればよいが、動物愛護やペットとの共存を考慮した場合、単に撃退すればいいわけではなく、そのペットの保有者に引き取りを願ったほうが有益である。
【０００８】
しかし、引き取りを願うにしても、そのペットの保有者が不明である場合が多く、ペットの首輪などに保管されている連絡先を見るにしても、ペットを捕獲する必要があり、捕獲の際に逃亡されたり攻撃されたりと、これがまた困難である。
【０００９】
また、連絡先がわかっても、直接連絡を取り合って苦情を言うことがやりづらい場合もありうる。例えば、迷惑をかけているペットの保有者が自分勝手であったり、変わった人間であったりする場合などが該当する。
【００１０】
そこで、本発明は、以上の問題を解決するために提案され、迷惑を被っている人の通報を受け、直ちに、迷惑をかけているペットの現在位置と保有者とを特定し、ペット保有者に対して、被害者から間接的に、ペットの現在位置を知らせた上でペットの引き取りを依頼できるペット会員サービスシステムを提供することを目的とする。
【００１１】
【課題を解決するための手段】
上記目的を達成するために、本発明の請求項１では、ペットに携帯され、固有の識別情報を予め登録した記憶部と、この記憶部に予め登録した識別情報を第１の無線信号として送信する送信部と、屋外柱から送信され、その屋外柱の設置位置情報を含む第２の無線信号を受信する受信部と、この受信部によって受信され、屋外柱の設置位置情報を順次蓄積する移動履歴データベースとを備える無線送信器と、屋外の適所に設置され、上記無線送信器から送信される第１の無線信号を受信する受信部と、この屋外柱の設置位置情報を第２の無線信号として上記無線送信器に送信する送信部と、上記受信部により受信した上記第１の無線信号より、その無線送信器の識別情報を抽出して、抽出した識別情報を、上記屋外柱の設置位置情報とともに、通信線を通じて上記センタ装置に送信する制御部とを備える屋外柱と、通信線に接続され、屋外柱から受信した、無線送信器の識別情報とその屋外柱の設置位置情報とにより、無線送信器の移動軌跡を管理するセンタ装置とで構成されるペット会員サービスシステムであって、センタ装置は、会員からの会員現在地を教示した通報を受け、その会員に迷惑をかけているペットの携帯する無線送信器の識別情報より、その無線送信器のペット所有者とペットの現在地を特定し、そのペット所有者に所定の通報をする構成とした。
【００１２】
ここに、センタ装置が接続される通信線は、各電話サービス会社が運営するＩＳＤＮ、ＡＤＳＮ回線、通常回線が適用でき、また、電力搬送線を用いて、各種信号のほかにも屋外柱の駆動電源を供給できるようにもできる。
【００１３】
請求項２では、基本構成は請求項１と同じであるが、サービス加入者には会員無線器を所持させ、この会員無線器は、この無線器固有の識別情報を予め登録した記憶部と、加入者の操作により、この無線器固有の識別情報を所定の迷惑フラグとともに迷惑信号として送信する送信部と、無線送信器からの第１の無線信号を受信する受信部とを備えており、会員無線器から迷惑信号が送信されると、付近のペットが携帯する無線送信器はこれを受信し、予め定められた所定の受信強度より高い場合にはこの受信を有効として、受信した迷惑信号に含まれる会員無線器の識別情報が、自身の識別情報と一致しない場合には、第１の無線信号に、自身の識別情報と迷惑フラグとを付加させ、このとき屋外柱は、第１の無線信号から、無線無線器の識別情報と迷惑フラグとを抽出してセンタ装置に転送し、センタ装置は、無線送信器の識別情報から、その無線送信器のペット所有者を特定し、そのペット所有者に所定の通報をする構成とした。
【００１４】
請求項３では、基本構成は請求項１，２と同じであるが、会員無線器は、この無線器固有の識別情報を予め登録した記憶部と、無線送信器からの第１の無線信号を受信する受信部と、無線送信器から受信した所定強度以上の第１の無線信号からこの無線送信器の識別情報を抽出し、自身の識別情報と一致しない場合には、無線送信器の識別情報と所定の迷惑フラグとを第３の無線信号として送信する制御部とを備えており、この第３の無線信号を受信したセンタ装置は、無線送信器の識別情報から、その無線送信器のペット所有者を特定し、そのペット所有者に所定の通報をする。
【００１５】
請求項４では、基本構成は請求項１〜３と同じであるが、サービス加入者には会員無線器を所持させ、この会員無線器は、この無線器固有の識別情報を予め登録した記憶部と、無線送信器からの第１の無線信号を受信する受信部と、無線送信器から受信した所定強度以上の第１の無線信号からこの無線送信器の識別情報を抽出し、抽出した識別情報を所定の迷惑フラグを付加して、第３の無線信号として無線送信器に送信する制御部とを備えており、この送信された第３の無線信号を受信した無線送信器は、その信号が予め定められた受信強度より高い場合には、受信した識別情報と自身の識別情報とを照合し、一致しなければ、第１の無線信号に、自身の識別情報と迷惑フラグとを付加させ、このとき屋外柱は、第１の無線信号から、無線無線器の識別情報と迷惑フラグとを抽出してセンタ装置に転送し、センタ装置は、無線送信器の識別情報から、その無線送信器のペット所有者を特定し、そのペット所有者に所定の通報をする。
【００１６】
請求項５では、請求項１〜４において、ペット所有者の割り出しと、通報の態様について規定しており、センタ装置は、会員無線器以外のペット所有者の通信端末装置に、通信ネットワークを通じて接続されており、無線送信器の識別情報に応じて、ペット所有者の連絡先情報を登録した通報先テーブルを備えており、この通報先テーブルを参照してペット所有者を割り出し、通信ネットワークを通じて通信端末装置に対して所定の通報を行う。
【００１７】
請求項６では、センタ装置は、特定したペット所有者に対して、そのペットの所在を通知するための地図データを備えており、制御部は、そのペットの現在位置情報を含む地図データと、迷惑通知とを含む通報をなす構成とした。
【００１８】
請求項７では、会員無線器以外のペット所有者の通信端末装置は、携帯電話機であることを特徴とした。また、請求項８では、会員無線器は、抽出した無線送信器の識別情報を表示する表示部を備える構成とした。
【００１９】
【発明の実施の形態】
以下に、本発明の実施の形態について、図面とともに説明する。図１は、本発明の第１実施形態について説明する図である。この第１実施形態では、会員Ａ，ＢのペットＡ，Ｂには無線送信器２を携帯させ、屋外の適所には、電柱などを流用した屋外柱３を設け、その屋外柱３には、通信線としての電力線Ｌ１を通じて、管理センタ内のセンタ装置６につながっている。
【００２０】
センタ装置６には、通信ネットワーク、例えば、公衆回線網、インターネットを通じて、会員Ａ，Ｂの通信端末装置に接続されている。
【００２１】
また、無線送信器２は、この無線送信器２を制御する制御部２０と、第１の無線信号ｓｉｇ．１（後述）を送信する送信部２１と、この無線送信器２に固有の識別情報（例えばＩＤコード）を登録した記憶部２２と、屋外柱２からの第２の無線信号ｓｉｇ．２（後述）を受信する受信部２３とを備える。
【００２２】
更に、屋外柱３は、街灯や電線、信号機などを装荷するようにしており、この屋外柱３の制御をする制御部３０と、無線送信器２からの第１の無線信号ｓｉｇ．１を受信する受信部３１と、無線送信器２に第２の無線信号ｓｉｇ．２を送信する送信部３２と、この屋外柱３の設置位置情報を登録した記憶部３３と、電力線Ｌ１を通じてセンタ装置６と通信を行い、例えば、センタ装置６に対して、随時、無線送信器２の識別情報を屋外柱３の設置位置情報とともに送信する通信線通信部３４とを備える。
【００２３】
記憶部３３に登録される設置位置情報は、予めディップスイッチ操作などにより登録しておいてもよいし、ＧＰＳ装置を付けて自動的に取得させてもよいし、センタ装置６から電力線Ｌ１を通じて伝送されてきてもよい。
【００２４】
第１の無線信号ｓｉｇ．１には、無線送信器２の識別情報が付加されており、無線送信器２から常時あるいは間欠的に送信される。これを近隣の屋外柱３が受信すれば、この無線信号ｓｉｇ．１より送信器２の識別情報を抽出し、抽出した識別情報に自身の設置位置情報を付加してセンタ装置６に転送し、センタ装置６では後述する処理により、転送された情報を格納する。
【００２５】
また、第２の無線信号ｓｉｇ．２には、屋外柱３の設置位置情報が少なくとも含まれており、これを近隣の無線送信器２が受信すると、信号ｓｉｇ．２から設置位置情報を抽出して、記憶部２２に格納する。すなわち、記憶部２２には、ペットＡ，Ｂが屋外柱３の近辺を移動するごとに、通った屋外柱３の設置位置情報が記憶部２２に格納される。
【００２６】
格納された設置位置情報は、インターフェース（不図示）を通じて外部装置（ＰＣなど）に読み出し、表示することができる。
【００２７】
センタ装置６は、図２に示すように、このセンタ装置６を制御する制御部６０と、無線送信器２の現在位置を登録する送信器位置テーブル６１Ａと、後述する通報で用いる通報先テーブル６１Ｂ（図３参照）とを有する記憶部６１と、表示部６２と、屋外柱３の設置エリアに対して所定のエリア毎に分割した複数の地図データ６３と、後述する通報Ａで用いる通報部６４とを備える。
【００２８】
送信器位置テーブル６１Ａには、図３に示すように、センタ装置６が、屋外柱３から随時送信されてくる無線送信機２の識別情報と位置情報とを受ける毎に、識別情報に対応して、順次位置情報が蓄積される。
【００２９】
また、通報先テーブル６１Ｂには、無線送信器２の識別情報に対応して、通報先として、ペット保有者の連絡先、例えば、携帯電話番号、電話番号、メールアドレス、携帯メールアドレスが登録されている。
【００３０】
センタ装置６では、管理センタが会員からペット捜索の依頼を受けたときや、装置３自身がペット位置通知依頼を受けると、そのペットの無線送信器２の識別情報を検索キーとして、送信器位置テーブル６１Ｂより最新の現在位置を割り出し、その位置を口頭あるいは地図データ付きで会員に通知できる（図２参照）。
【００３１】
また、現在位置のみではなく、順次蓄積された時系列的な移動情報を基に、移動軌跡情報を作成し、これに地図データを複合させて通知することもできる（図２参照）。
【００３２】
このような構成において、仮に、ペットＡが会員Ｂ宅近辺でいたずら等をして会員Ｂに迷惑をかけている場合、会員Ｂは、管理センタに対して、会員Ｂの現在位置を教えた上で、ペットＡの引き取りを依頼する通報Ｂをなす。このような通報Ｂは、会員Ｂが管理センタに電話をかけたり、管理センタに設置されているＰＣに電子メールを送ったりして行える。なお、センタ装置６に電子メール送受信機能を設け、その内容が表示部６２で確認できるようにしてもよいことはいうまでもない。
【００３３】
このような通報Ｂを受けた管理センタ側では、センタ装置６を操作して、会員Ｂの位置に近いペットＡを、送信器位置テーブル６１Ａを参照して特定し、そのペットＡの所有する無線送信器２に対応する通報先を通報先テーブル６１Ｂを見て、ペットＡの所有者と特定し、ペットＡの現在位置を教えて、引き取りを依頼する通報Ａを会員Ａになす。
【００３４】
上記したような、通報Ａに対する応答、ペットＡの引き取り依頼の通報先の特定、引き取り依頼の通報Ｂは、管理センタのオペレータが行うことができるが、ここでは、一切の処理をセンタ装置６で自動的に行っている。この場合、通報Ａに対する応答、通報Ｂは自動応答、自動発信後自動依頼、自動検索をセンタ装置６ができるようにすればよい。
【００３５】
図４は、本発明システムの第２実施形態について示す図である。ここでは、図１のシステムに、会員Ａ，Ｂそれぞれに持たせた会員無線器４を更に備えている。
【００３６】
会員無線器４は、この会員無線器４を制御する制御部４０と、第３の無線信号ｓｉｇ．３（「迷惑信号」ともいう（後述））を送信する送信部４１と、この会員無線器４固有の識別情報を登録した記憶部４２と、無線送信器２から第１の無線信号ｓｉｇ．１を受信する受信部４３とを備える。
【００３７】
このような第２実施形態のシステムは、以下の３通りの動作をなす。以下、ひとつづつ説明する。
【００３８】
図５は、第２実施形態の基本動作の第１例を説明するためのフローチャートである。この第１例によれば、会員無線器４での所定操作により、会員無線器４の識別情報と迷惑フラグとを含む第３の無線信号ｓｉｇ．３（以下「迷惑信号という）が送信される（１００，１０１）。
【００３９】
すると、近隣の無線送信器２のうち、最も近くにいるペットの無線送信器２がこの信号ｓｉｇ．３の受信を有効とする。すなわち、予め定められている一定の強度以上であれば有効とする（１０２）。
【００４０】
一般に受信強度は、送信側の送信電力とアンテナ利得、及び、受信側のアンテナ利得と自由空間電波減衰量とにより決まる。従って、例えば、送受信間の距離が５ｍであるときは、受信強度は、相互の電気的特性から決定できる。この受信強度の特性は、第１例だけにとどまらず、第２，３例でも適用されるものである。
【００４１】
そして、受信した信号ｓｉｇ．３から、会員無線器４の識別情報を抽出し、無線送信器２自身の識別情報とを照合し（１０３）、一致する場合には会員Ｂ自身のペットであるからそのまま無視し、一致しない場合には他人のペットであるから、先述の第１の無線信号ｓｉｇ．１に、無線送信器２の識別情報と迷惑フラグとを付加して屋外柱３に送信する（１０４）。屋外柱３は、これをセンタ装置６に電力線Ｌ１を通じて転送する（１０５）。センタ装置６は、後述する処理をなす。
【００４２】
図６は、第２実施形態の基本動作の第２例を説明するためのフローチャートである。この第２例によれば、会員無線器４は、近隣の最も近くにいるペットの無線送信器２からの信号ｓｉｇ．１の受信を、一定の強度以上であればこれを有効とする（２００〜２０２）。
【００４３】
そして、会員無線器４は、受信した信号ｓｉｇ．１から無線送信器２の識別情報を抽出し、無線器４自身の識別情報との照合をし（２０３）、一致していれば会員Ｂ自身のペットであるからこれを無視し、一致していなければ、他人のペットの無線送信器２であるから、所定の報知、例えば、ランプ点灯、報知音鳴動などを行う（２０４）。このとき、会員無線器４では、抽出した無線送信器２の識別情報を表示するようにしてもよく、こうすると、会員Ｂが管理センタに通報する場合、迷惑をかけているペットを通知しやすくなる。
【００４４】
図７は、第２実施形態の基本動作の第２例を説明するためのフローチャートである。この第３例によれば、会員無線器４は、近隣の最も近くにいるペットの無線送信器２からの信号ｓｉｇ．１の受信を、一定の強度以上であればこれを有効とする（３００〜３０２）。
【００４５】
そして、会員無線器４は、抽出した無線送信器２の識別情報と迷惑フラグとを含む迷惑信号ｓｉｇ．３を送信し（３０３）、これが無線送信器２にとって所定強度以上であればこれを有効とし（３０４）、信号ｓｉｇ．３から識別情報を抽出し、無線送信器２自身の識別情報と照合する（３０５）。
【００４６】
その結果、一致すれば会員Ｂ自身のペットであるからこれを無視し、一致しなければ、他人のペットであるから、先述の第１の無線信号ｓｉｇ．１に、無線送信器２の識別情報と迷惑フラグとを付加して屋外柱３に送信する（３０６）。屋外柱３は、これをセンタ装置６に電力線Ｌ１を通じて転送する（３０７）。センタ装置６は、後述する処理をなす。
【００４７】
センタ装置６は、図８に示すように、先述の第１〜３例において、屋外柱３から、会員Ｂからの通報を受けたり、無線送信器の識別情報、迷惑フラグ付きの迷惑信号ｓｉｇ．３を受信したときには（４００）、無線送信器２の識別情報を抽出して、センタ装置６が自動的に、通報先テーブル３１Ｂを参照して通報先となる会員の連絡先を判定する（４０１）。
【００４８】
そして、センタ装置６は、送信器位置テーブル６１Ａを参照して、無線送信器２の識別情報に対応する最新の位置情報を読み出して、無線送信器２を携帯するペットの現在地を割り出して（４０２）、そのペット保有者の通信端末装置に通報Ａを行う（４０３）（これらの処理は図８のフローチャートを参照）。
【００４９】
図８は、センタ装置６から会員の通信端末装置へと通報Ａの態様の一例を説明するための図である。
【００５０】
会員の通信端末装置６は、例えば、ＰＣや携帯電話機で構成され、ＰＣの場合にはインターネットを通じてセンタ装置６に接続され、携帯電話機の場合には携帯電話網を通じてセンタ装置６に接続される。
【００５１】
センタ装置６では、通報Ａを行う前に、ペットの現在位置に適合する地図データを読み出し、現在位置をマーキングした地図データ５１と、迷惑有り情報５２とを、通報Ａを行う信号に混ぜる。すると、これを受信した側では、図９に示すように、その表示画面５０に、自身のペットの現在地をマーキングした地図データ５１が、迷惑あり情報５２とともに表示される。
【００５２】
【発明の効果】
以上の説明からも理解できるように、本発明の請求項１では、センタ装置は、会員からの会員現在地を教示した通報を受け、その会員に迷惑をかけているペットの携帯する無線送信器の識別情報より、その無線送信器のペット所有者とペットの現在地を特定し、そのペット所有者に所定の通報をするので、他人に迷惑をかけているペットに直接接することなく、安全にそのペット保有者にペットの引き取りを依頼できる。
【００５３】
また、会員同士が直接顔を合わせる必要がないため、双方のセキュリティ上有益にできる。
【００５４】
請求項２では、迷惑ペットを発見した会員が会員無線器を操作すれば、迷惑ペットの引き取りを依頼する迷惑信号がセンタ装置に送信されるため、わざわざ管理センタに通報をすることなく、ペットの引き取りを依頼でき、利便である。
【００５５】
特に、迷惑ペットの無線送信器において、会員無線器の識別情報との照合を行った上でセンタ装置に迷惑信号を送信するため、明らかに、会員無線器の識別情報と、近隣の無線送信器の識別情報とが相違する場合にのみ、当該ペット引取りが依頼されるため、請求項１に比べてより正確に、迷惑ペットの存在が把握できる。
【００５６】
請求項３では、会員無線器が近隣の無線送信器からの信号を受けた場合、その信号に含まれる無線送信器の識別情報と、自身の識別情報との照合をし、一致しないときに、所定の報知を行うため、会員Ｂが引き取り依頼時に、迷惑ペットの無線送信機情報を教示しやすく、利便である。
【００５７】
また、先述のような照合を行うため、請求項１に比べてより正確に、迷惑ペットの存在が把握できる。
【００５８】
請求項４では、会員無線器が近隣の無線送信器からの信号を受けた場合、その無線送信器の識別情報を抽出し、抽出した識別情報を迷惑フラグを付加して無線送信器に返信した上で、返信を受けた無線送信器において、受信した識別情報と自身の識別情報とを照合して、一致しないときに、第１の無線信号に、自身の識別情報と迷惑フラグとを付加するので、請求項２と同様に、わざわざ管理センタに通報をすることなく、ペットの引き取りを依頼でき、利便である。
【００５９】
特に、迷惑ペットの無線送信器において、会員無線器から返信された識別情報との照合を行った上でセンタ装置に迷惑信号を送信するため、請求項２と同様に、より正確に迷惑ペットの存在が把握できる。
【００６０】
請求項５では、センタ装置は、無線送信器の識別情報に応じて、ペット所有者の連絡先情報を登録した通報先テーブルを備えており、この通報先テーブルを参照してペット所有者を割り出し、通信ネットワークを通じて通信端末装置に対して所定の通報を行うので、ペット所有者割り出し、ペット引取りの通報を迅速に行える。
【００６１】
請求項６では、センタ装置は、特定したペット所有者に対して、そのペットの所在を通知するための地図データを備えており、制御部は、そのペットの現在位置情報を含む地図データと、迷惑通知とを含む通報をなすので、引き取り依頼を受けた会員は、そのペットがいまどこにいるかを容易に確認でき、利便である。
【００６２】
請求項７では、会員無線器以外のペット所有者の通信端末装置は、携帯電話機であるので、ペット引取りを依頼される会員が出先にいても通報ができる。また、その携帯端末機から管理センタにペット位置探索を依頼をだせば、管理センタからリアルタイムなペット位置が知らされ、ペットの捜索が容易にできる。
【００６３】
請求項８では、会員無線器は、抽出した無線送信器の識別情報を表示する表示部を備えるので、会員が管理センタにペット引取り依頼の通報をする際、無線送信器の識別情報を容易に確認できる。
【図面の簡単な説明】
【図１】本発明の第１実施形態を示す図である。
【図２】センタ装置の要部構成の一例を、送信器位置テーブルの構成の一例とともに示す図である。
【図３】通報先テーブルの構成の一例を示す図である。
【図４】本発明の第２実施形態を示す図である。
【図５】第２実施形態の動作の一例を説明するためのフローチャートである。
【図６】第２実施形態の動作の他例を説明するためのフローチャートである。
【図７】第２実施形態の動作の更に他例を説明するためのフローチャートである。
【図８】第１，２実施形態におけるセンタ装置の動作を説明するためのフローチャートである。
【図９】センタ装置から通信端末装置へのペット引取り依頼通報を行う態様の一例を示す図である。
【符号の説明】
２・・・無線送信器
３・・・屋外柱
４・・・会員無線器
５・・・通信端末装置
６・・・センタ装置
２０，３０，４０，６０・・・制御部
２３，３１，４３・・・受信部
２２，３３，４２・・・記憶部
２１，３２，４３・・・送信部
６４・・・通報部
【図１】
2004355472.tif 000003
【図２】
2004355472.tif 000004
【図３】
2004355472.tif 000005
【図４】
2004355472.tif 000006
【図５】
2004355472.tif 000007
【図６】
2004355472.tif 000008
【図７】
2004355472.tif 000009
【図８】
2004355472.tif 000010
【図９】
2004355472.tif 000011